(57)【特許請求の範囲】
【請求項１】
物体側より像側へ順に配置された、正の屈折力の第１レンズ群、負の屈折力の第２レンズ群、正の屈折力の第３レンズ群、１つ以上のレンズ群を含む後群を有し、ズーミングに際して隣り合うレンズ群の間隔が変化するズームレンズにおいて、
最も像側に位置するレンズ群はフォーカシングに際して光軸方向に移動し、
前記最も像側に位置するレンズ群は２枚以上のレンズを有し、前記最も像側に位置するレンズ群に含まれるレンズの材料の部分分散比をθｇＦｒ、アッベ数をνｄｒとするとき、前記最も像側に位置するレンズ群に含まれるレンズのそれぞれの材料は、
０．０＜θｇＦｒ−（−１．５２０×１０−７・νｄｒ３＋５．２１３×１０−５・νｄｒ２−５．５００×１０−３・νｄｒ＋０．７３０）
なる条件式を満足し、
前記第１レンズ群の焦点距離をｆ１、広角端における全系の焦点距離をｆｗとするとき、
１２．９＜ｆ１／ｆｗ＜４０．０
なる条件式を満足することを特徴とするズームレンズ。
【請求項２】
望遠端における全系の焦点距離をｆｔとするとき、
１．５＜ｆｔ／ｆ１＜５．０
なる条件式を満足することを特徴とする請求項１に記載のズームレンズ。
【請求項３】
前記第２レンズ群の焦点距離をｆ２、望遠端における全系の焦点距離をｆｔとするとき、
−３０．０＜ｆｔ／ｆ２＜−５．０
なる条件式を満足することを特徴とする請求項１または２に記載のズームレンズ。
【請求項４】
前記第３レンズ群の焦点距離をｆ３、望遠端における全系の焦点距離をｆｔとするとき、
５．０＜ｆｔ／ｆ３＜２０．０
なる条件式を満足することを特徴とする請求項１乃至３のいずれか１項に記載のズームレンズ。
【請求項５】
前記最も像側に位置するレンズ群に含まれるレンズの材料のアッベ数をνｄｒとするとき、前記最も像側に位置するレンズ群に含まれるレンズのそれぞれの材料は、
１０．０＜νｄｒ＜１００．０
なる条件式を満足することを特徴とする請求項１乃至４のいずれか１項に記載のズームレンズ。
【請求項６】
前記最も像側に位置するレンズ群は、１枚の正レンズと１枚の負レンズから成ることを特徴とする請求項１乃至５のいずれか一項に記載のズームレンズ。
【請求項７】
前記最も像側に位置するレンズ群に含まれる正レンズの材料のアッベ数をνｄｒｐとするとき、
４０．０＜νｄｒｐ＜１００．０
なる条件式を満足することを特徴とする請求項６に記載のズームレンズ。
【請求項８】
前記最も像側に位置するレンズ群に含まれる負レンズの材料のアッベ数をνｄｒｎとするとき、
１０．０＜νｄｒｎ＜４０．０
なる条件式を満足することを特徴とする請求項６または７に記載のズームレンズ。
【請求項９】
広角端から望遠端へのズーミングにおける前記第１レンズ群の移動量をｍ１とし、移動量の符号は、広角端に比べて望遠端において前記第１レンズ群が物体側に位置するときを負、像側に位置するときを正とするとき、
−３０．０＜ｍ１／ｆｗ＜−３．０
なる条件式を満足することを特徴とする請求項１乃至８のいずれか１項に記載のズームレンズ。
【請求項１０】
広角端から望遠端へのズーミングにおける前記第３レンズ群の移動量をｍ３とし、移動量の符号は、広角端に比べて望遠端において前記第３レンズ群が物体側に位置するときを負、像側に位置するときを正とするとき、
−１０．０＜ｍ３／ｆｗ＜−０．５
なる条件式を満足することを特徴とする請求項１乃至９のいずれか１項に記載のズームレンズ。
【請求項１１】
前記最も像側に位置するレンズ群の焦点距離をｆｒ、望遠端における全系の焦点距離をｆｔとするとき、
２．０＜ｆｔ／｜ｆｒ｜＜１５．０
なる条件式を満足することを特徴とする請求項１乃至１０のいずれか１項に記載のズームレンズ。
【請求項１２】
前記最も像側に位置するレンズ群に含まれる負レンズの材料の屈折率をＮｄｒｎとするとき、
１．６＜Ｎｄｒｎ＜２．３
なる条件式を満足することを特徴とする請求項１乃至１１のいずれか１項に記載のズームレンズ。
【請求項１３】
前記最も像側に位置するレンズ群は、１枚の正レンズと、該１枚の正レンズに対して空気間隔を隔てて配置された１枚の負レンズからなることを特徴とする請求項１乃至１２のいずれか１項に記載のズームレンズ。
【請求項１４】
請求項１乃至１３のいずれか１項に記載のズームレンズと、該ズームレンズによって形成される像を受光する固体撮像素子を有することを特徴とする撮像装置。
【発明の詳細な説明】
【技術分野】
【０００１】
本発明はズームレンズに関するものであり、例えばデジタルスチルカメラ、ビデオカメラ、監視カメラ、放送用カメラ、銀塩写真用カメラ等の撮像装置に用いる撮像光学系として好適なものである。
【背景技術】
【０００２】
近年、固体撮像素子や銀塩フィルムを用いた撮像装置は高機能化され、かつ装置全体が小型化されている。これらの撮像装置に用いられる撮像光学系としては、ズーム比率が高く、広角端のズーム位置で広画界（広角域）であり、かつ全ズーム領域にて画面周辺まで高い光学性能を有する小型のズームレンズであることが要求されている。全系が小型で高ズーム比のズームレンズとして物体側から像側へ順に、正の屈折力の第１レンズ群、負の屈折力の第２レンズ群、正の屈折力の第３レンズ群、それに続く１つ以上のレンズ群を含む後群を有するポジティブリード型のズームレンズが知られている。
【０００３】
後群のレンズ構成として、例えば、１つの正の屈折力のレンズ群による構成、複数の正の屈折力のレンズ群による構成、正の屈折力のレンズ群と負の屈折力のレンズ群をそれぞれ１つ以上組み合わせた構成などが知られている。ポジティブリード型ズームレンズは、第１レンズ群が負の屈折力のレンズ群であるネガティブリード型ズームレンズに対して高いズーム比を得やすいという特徴を有している。
【０００４】
近年ポジティブリード型のズームレンズを用いて、広角端のズーム位置で３５ｍｍ銀塩フィルムを対象としたときの焦点距離が２８ｍｍ以下でズーム比が２０を超えるような広画角、高ズーム比のズームレンズが提案されている。ズームレンズにおいては第１レンズ群で発生した収差が第２レンズ群以降によって拡大される。このため、高ズーム比を図る際には第１レンズ群で発生する収差を極力抑えることが重要である。第１レンズ群で発生する諸収差のうち、発生量の大きな収差として、望遠端における軸上色収差の２次スペクトルがある。
【０００５】
従来、望遠端において軸上色収差の２次スペクトルを抑制するために、第１レンズ群内の正レンズに低分散で部分分散比が高い材料を使用することが行われている。また第１レンズ群で発生した上記軸上色収差の２次スペクトルを補正するために、正の屈折力の第３レンズ群の正レンズに部分分散比の高い材料を使用することが行われている。ポジティブリード型のズームレンズとして、物体側より像側へ順に、正、負、正、正の屈折力の第１レンズ群乃至第４レンズ群より成る４群ズームレンズが知られている。
【０００６】
このポジティブリード型の４群ズームレンズにおいて第１レンズ群と第３レンズ群の正レンズの材料に異常分散材料を使用し、色収差（２次スペクトル）を良好に補正した高ズーム比のズームレンズが知られている（特許文献１）。また物体側より順に正、負、正、負、正の屈折力の第１レンズ群乃至第５レンズ群よりなる５群ズームレンズが知られている。この５群構成ズームレンズにおいて第３レンズ群に異常分散性を有する材料より成るレンズを用いた色収差を良好に補正した高ズーム比のズームレンズが知られている（特許文献２）。
【先行技術文献】
【特許文献】
【０００７】
【特許文献１】特開２０１０−９１７８８号公報
【特許文献２】特開２０１０−３２７００号公報
【発明の概要】
【発明が解決しようとする課題】
【０００８】
ポジティブリード型のズームレンズは全系の小型化を図りつつ、広画角化及び高ズーム比化を図ることが比較的容易である。多くのポジティブリード型のズームレンズにおいて、望遠端での焦点距離を長く（長焦点距離化）しつつ、高ズーム比化を図ると望遠側のズーム領域において、球面収差、コマ収差、色収差等の諸収差が多く発生してくる。
【０００９】
特にズーム比が２０を超えるように、高ズーム比化を図ると、望遠端近傍のズーム領域（望遠領域）において、軸上色収差の２次スペクトルが多く発生してくる。このため、ポジティブリード型のズームレンズにおいて、高ズーム比化を図りつつ全ズーム領域にわたり、高い光学性能を得るには、色収差とくに２次スペクトルを軽減することが重要となってくる。前述したズームレンズにおいては、望遠領域で大きく発生しやすい軸上色収差の２次スペクトルを低減するために、第１レンズ群や第３レンズ群の正レンズに部分分散比の高い異常分散性硝材を用いることが行われてきた。
【００１０】
上記のように異常分散性の強い材料を用いて望遠端において軸上色収差の２次スペクトルを抑制すると、広角端において倍率色収差が増加してくる。このように望遠端において軸上色収差の低減をするために、単に異常分散性のある材料を使用すると、広角端において倍率色収差が増加してくる。このため、ズーム比２０以上を実現しつつ、ズーム全域において軸上色収差と倍率色収差を良好に補正するには、各レンズ群のパワー配置や各レンズ群内のレンズの材料を適切に設定することが重要である。
【００１１】
一方、前述したポジティブリード型のズームレンズでは第１レンズ群の大きさがズームレンズ全体の大きさに大きく影響する。このため、ポジティブリード型のズームレンズにおいて、全系の小型化を図りつつ、高ズーム比で全ズーム範囲にわたり高い光学性能を得るには、第１レンズ群の屈折力を適切に設定することが重要になってくる。この他、全系の小型化を図りつつ、高ズーム比化を達成するには変倍用の第２レンズ群の屈折力や第３レンズ群の屈折力等を適切に設定することも重要になってくる。
【００１２】
これらの構成を適切に設定しないと、全系の小型化を図りつつ、広画角かつ高ズーム比、しかも望遠端において諸収差を良好に補正し、全ズーム範囲で高い光学性能のズームレンズを得るのが難しくなってくる。
【００１３】
本発明は、望遠端における諸収差の発生を軽減することができ、広画角、高ズーム比でズーム全域で良好な光学特性が得られる小型のズームレンズ及びそれを有する撮像装置の提供を目的とする。
【課題を解決するための手段】
【００１４】
本発明のズームレンズは、物体側より像側へ順に配置された、正の屈折力の第１レンズ群、負の屈折力の第２レンズ群、正の屈折力の第３レンズ群、１つ以上のレンズ群を含む後群を有し、ズーミングに際して隣り合うレンズ群の間隔が変化するズームレンズにおいて、
最も像側に位置するレンズ群はフォーカシングに際して光軸方向に移動し、
前記最も像側に位置するレンズ群は２枚以上のレンズを有し、前記最も像側に位置するレンズ群に含まれるレンズの材料の部分分散比をθｇＦｒ、アッベ数をνｄｒとするとき、前記最も像側に位置するレンズ群に含まれるレンズのそれぞれの材料は、
０．０＜θｇＦｒ−（−１．５２０×１０−７・νｄｒ３＋５．２１３×１０−５・νｄｒ２−５．５００×１０−３・νｄｒ＋０．７３０）
なる条件式を満足し、
前記第１レンズ群の焦点距離をｆ１、広角端における全系の焦点距離をｆｗとするとき、
１２．９＜ｆ１／ｆｗ＜４０．０
なる条件式を満足することを特徴としている。
【発明の効果】
【００１５】
本発明は、望遠端における諸収差の発生を軽減することができ、広画角、高ズーム比でズーム全域で良好な光学特性が得られる小型のズームレンズが得られる。
【図面の簡単な説明】
【００１６】
【図１】本発明の実施例１のレンズ断面図
【図２】（Ａ）、（Ｂ）、（Ｃ）  本発明の実施例１の広角端、中間のズーム位置、望遠端における収差図
【図３】本発明の実施例２のレンズ断面図
【図４】（Ａ）、（Ｂ）、（Ｃ）  本発明の実施例２の広角端、中間のズーム位置、望遠端における収差図
【図５】本発明の実施例３のレンズ断面図
【図６】（Ａ）、（Ｂ）、（Ｃ）  本発明の実施例３の広角端、中間のズーム位置、望遠端における収差図
【図７】本発明の実施例４のレンズ断面図
【図８】（Ａ）、（Ｂ）、（Ｃ）  本発明の実施例４の広角端、中間のズーム位置、望遠端における収差図
【図９】本発明の実施例５のレンズ断面図
【図１０】（Ａ）、（Ｂ）、（Ｃ）  本発明の実施例５の広角端、中間のズーム位置、望遠端における収差図
【図１１】本発明の撮像装置の要部概略図
【発明を実施するための形態】
【００１７】
以下に、本発明の好ましい実施の形態を、添付の図面に基づいて説明する。本発明のズームレンズは、物体側より像側へ順に配置された、正の屈折力の第１レンズ群、負の屈折力の第２レンズ群、正の屈折力の第３レンズ群、１つ以上のレンズ群を含む後群を有し、ズーミングに際して隣り合うレンズ群の間隔が変化する。
【００１８】
図１は、本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における縦収差図である。実施例１はズーム比４３、開口比３．５〜６．８程度のズームレンズである。図３は、本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における縦収差図である。実施例２はズーム比４３、開口比３．５〜６．８程度のズームレンズである。
【００１９】
図５は、本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における縦収差図である。実施例３はズーム比２０、開口比３．６〜７．１程度のズームレンズである。図７は、本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における縦収差図である。実施例４はズーム比４３、開口比３．５〜６．８程度のズームレンズである。
【００２０】
図９は、本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における縦収差図である。実施例５はズーム比２４、開口比２．９〜５．７程度のズームレンズである。
【００２１】
各実施例のレンズ断面図において、Ｌ１は正の屈折力の第１レンズ群、Ｌ２は負の屈折力の第２レンズ群、Ｌ３は正の屈折力の第３レンズ群である。ＬＲは１つ以上のレンズ群を有する後群である。また、実施例１乃至３においてＬ４は負の第４レンズ群、Ｌ５は正の第５レンズ群である。また、実施例４において、Ｌ４は正の第４レンズ群である。また、実施例５において、Ｌ４は負の屈折力の第４レンズ群、Ｌ５は正の屈折力の第５レンズ群、Ｌ６は負の屈折力の第６レンズ群である。
【００２２】
また各レンズ断面図において、ＳＰは開口絞りである。開口絞りＳＰは、実施例１、２、３では第３レンズ群Ｌ３の物体側に配置してあり、ズーミングに際して他のレンズ群とは独立に（異なった軌跡で）移動する。また、実施例４においては第３レンズ群Ｌ３の物体側に配置されており、ズーミングに際して第３レンズ群Ｌ３と共に（同じ軌跡で）移動する。また実施例５において、開口絞りＳＰは第３レンズ群Ｌ３の像側に配置されており、ズーミングに際して第３レンズ群Ｌ３と共に移動する。
【００２３】
各レンズ断面図においてＦＰはフレアー絞り（フレアーカット絞り）である。また、Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の像面に、銀縁フィルム用のカメラのときはフィルム面に相当する観光面が置かれる。矢印は広角端から望遠端へのズーミング（変倍）に際して、各レンズ群の移動軌跡と、フォーカシングの際のレンズ群の移動方向を示している。
【００２４】
各実施例の収差図のうち球面収差において、実線のｄと２点鎖線のｇは各々ｄ線及びｇ線である。非点収差図においてΔＭ（点線）、ΔＳ（実線）はメリディオナル像面及びサジタル像面である。倍率色収差はｇ線によって表している。ωは半画角（撮像画角の半分の値）（度）、ＦｎｏはＦナンバーである。尚、以下の各実施例において広角端と望遠端は変倍用のレンズ群が機構上光軸上を移動可能な範囲の両端に位置したときのズーム位置をいう。
【００２５】
実施例１乃至３のズームレンズは、物体側から像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５から構成されている。最も像側に位置するレンズ群は第５レンズ群Ｌ５である。
【００２６】
実施例１乃至３のズームレンズは、第１レンズ群Ｌ１、第２レンズ群Ｌ２、第３レンズ群Ｌ３の移動により主たる変倍を行っている。広角端から望遠端へのズーミングにおける各レンズ群の移動は次のとおりである。第１レンズ群Ｌ１は像側に凸状の軌跡で移動することで広角端における前玉有効径を小型化しつつ、高ズーム比化を図っている。また第１レンズ群Ｌ１は像側に凸状の軌跡とし開口絞りＳＰとの間隔を狭めることによって、第１レンズ群Ｌ１の小型化を図っている。
【００２７】
第２レンズ群Ｌ２は像側へ移動することで、大きな変倍効果を得ている。また第３レンズ群Ｌ３は物体側へ移動することで、変倍効果を得ている。またズーミングに際し、開口絞りＳＰは他のレンズ群から独立して（異なった軌跡で）移動することで、広角端において開口絞りＳＰを第１レンズ群Ｌ１側に近づけて、第１レンズ群Ｌ１及び第２レンズ群Ｌ２を小型化している。第５レンズ群Ｌ５は変倍に伴う像面位置の移動を補正する役割のほかに、光軸上を移動させてフォーカシングを行う。
【００２８】
レンズ断面図において第５レンズ群Ｌ５に関する実線の曲線５ａと点線の曲線５ｂは各々無限遠物体と近距離物体にフォーカスしているときの変倍に伴う像面変動を補正するための移動軌跡である。また望遠端において、無限遠物体から近距離物体へフォーカスを行う場合には、矢印５ｃに示す如く、第５レンズ群Ｌ５を前方（物体側）に繰り出すことで行っている。全ズーム領域において、無限遠物体から近距離物体へフォーカスを行う場合は、第５レンズ群Ｌ５は物体側へ移動する。
【００２９】
実施例４のズームレンズは、物体側から像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４から構成されている。最も像側に位置するレンズ群は第４レンズ群Ｌ４である。実施例４のズームレンズは、第１レンズ群Ｌ１、第２レンズ群Ｌ２、第３レンズ群Ｌ３の移動により主たる変倍を行っている。
【００３０】
広角端から望遠端へのズーミングにおける各レンズ群の移動は次のとおりである。第１レンズ群Ｌ１は像側に凸状の軌跡で移動することで広角端における前玉有効径を小型化しつつ、高ズーム比化を図っている。また第１レンズ群Ｌ１は像側へ凸状の軌跡とし、開口絞りＳＰとの間隔を狭めることによって、第１レンズ群Ｌ１の小型化を図っている。第２レンズ群Ｌ２は像側へ移動することで、大きな変倍効果を得ている。また第３レンズ群Ｌ３は物体側へ移動することで、変倍効果を得ている。
【００３１】
第４レンズ群Ｌ４はズーミングに伴う像面位置の移動を補正する役割のほかに、光軸上を移動させてフォーカシングを行う。第４レンズ群Ｌ４に関する実線の曲線４ａと点線の曲線４ｂは各々無限遠物体と近距離物体にフォーカスしているときの変倍に伴う像面変動を補正するための移動軌跡である。また望遠端において、無限遠物体から近距離物体へフォーカスを行う場合には、矢印４ｃに示すように第４レンズ群Ｌ４を前方に繰り出すことで行っている。全ズーム領域において、無限遠物体から近距離物体へフォーカスを行う場合は、第４レンズ群Ｌ４は物体側へ移動する。
【００３２】
実施例５のズームレンズは、物体側から像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群から構成されている。最も像側に位置するレンズ群は第６レンズ群Ｌ６である。実施例５のズームレンズは、第１レンズ群Ｌ１、第２レンズ群Ｌ２、第５レンズ群Ｌ５の移動により主たる変倍を行っている。広角端から望遠端へのズーミングにおける各レンズ群の移動は次のとおりである。
【００３３】
第１レンズ群Ｌ１は物体側へ移動することで広角端における前玉有効径を小型化しつつ、高ズーム比化を図っている。第２レンズ群Ｌ２は像側へ移動することで、大きな変倍効果を得ている。また第５レンズ群Ｌ５は物体側へ移動することで、変倍効果を得ている。第６レンズ群Ｌ６はズーミングに伴う像面位置の移動を補正する役割のほかに、光軸上を移動させてフォーカシングを行う。
【００３４】
第６レンズ群Ｌ６の実線の曲線６ａと点線の曲線６ｂは各々無限遠物体と近距離物体にフォーカスしているときの広角端から望遠端のズーム位置へのズーミングの際の像面変動を補正するための移動軌跡である。また望遠端のズーム位置において無限遠物体から近距離物体へフォーカスを行う場合には、矢印６ｃに示すように第６レンズ群Ｌ６を後方（像側）へ繰り込むことで行っている。全ズーム領域において、無限遠物体から近距離物体へフォーカスを行う場合において、第６レンズ群Ｌ６は像側へ移動する。
【００３５】
各実施例に共通して、本発明の効果を得る上で特徴となる点について説明する。各実施例において、最も像側に位置するレンズ群は２枚以上のレンズを有する。最も像側に位置するレンズ群に含まれる各レンズの材料の部分分散比をθｇＦｒ、アッベ数をνｄｒとし、第１レンズ群Ｌ１の焦点距離をｆ１、広角端における全系の焦点距離をｆｗとする。このとき、
０．０＜θｇＦｒ−（−１．５２０×１０−７・νｄｒ３＋５．２１３×１０−５・νｄｒ２−５．５００×１０−３・νｄｒ＋０．７３０）    ・・・（１）
１２．９＜ｆ１／ｆｗ＜４０．０                    ・・・（２）
なる条件式を満足する。
【００３６】
ここで、材料のアッベ数νｄ、部分分散比θｇＦは次のとおりである。ｇ線（波長４３５．８ｎｍ）、Ｆ線（４８６．１ｎｍ）、Ｃ線（６５６．３ｎｍ）、ｄ線（５８７．６ｎｍ）に対する材料の屈折率をそれぞれＮｇ、ＮＦ、ＮＣ、Ｎｄとする。このとき、以下の式で表される。
νｄ＝（Ｎｄ−１）／（ＮＦ−ＮＣ）
θｇＦ＝（Ｎｇ−ＮＦ）／（ＮＦ−ＮＣ）
【００３７】
次に前述の各条件式の技術的意味について説明する。条件式（１）及び（２）はズーム倍率（ズーム比）を高めながら、望遠端において軸上色収差の補正と広角端において倍率色収差の補正を良好に行うためのものである。条件式（１）は望遠端において軸上色収差の２次スペクトルと広角端において倍率色収差の２次スペクトルの補正を良好に行うための材料を特定している。
【００３８】
望遠端において軸上色収差の２次スペクトルを補正するためには第１レンズ群Ｌ１や第３レンズ群Ｌ３に含まれる正レンズの材料に部分分散比θｇＦｒの高い材料を選定することが効果的であるが、同時に広角端において倍率色収差の２次スペクトルが増大する。
【００３９】
条件式（１）の如く、最も像側に位置するレンズ群に含まれる正レンズに異常分散性のある材料を使用すると、広角端において倍率色収差の２次スペクトルを補正することが容易になる。また、条件式（１）の如く、最も像側に位置するレンズ群に含まれる負レンズに異常分散性のある材料を使用すると、更に軸上色収差の２次スペクトルの補正が容易になる。条件式（１）の下限値を超えると、望遠端において軸上色収差の２次スペクトルと広角端において倍率色収差の２次スペクトルが増加するため、好ましくない。
【００４０】
条件式（２）は広角端における全系の焦点距離ｆｗと第１レンズ群Ｌ１の焦点距離ｆ１を規定する。条件式（２）の上限値を超えて、第１レンズ群Ｌ１の焦点距離が長くなると、広角端において倍率色収差の補正と、望遠端において軸上色収差の補正には有利となるが、ズーミングに際する第１レンズ群Ｌ１の移動量が大きくなる。そのため全系が大型化し好ましくない。また、条件式（２）の下限値を超えて、第１レンズ群Ｌ１の焦点距離が短くなると、全系の小型化には有利となるが、少ないレンズ枚数で球面収差やコマ収差を良好に補正することが困難となるため、好ましくない。
【００４１】
また、広角側における全系の焦点距離が長くなってしまい、所望のズーム倍率を確保することが困難となるため、好ましくない。なお、各実施例において、好ましくは条件式（２）の数値範囲を以下の通り満たすと良い。
１２．９＜ｆ１／ｆｗ＜３０．０      ・・・（２ａ）
更に好ましくは、条件式（２ａ）の数値範囲を以下の通り満たすと良い。
１２．９＜ｆ１／ｆｗ＜２０．０      ・・・（２ｂ）
【００４２】
各実施例において、以上の如く構成することにより、広画角で高ズーム比で、高い光学性を有する小型のズームレンズを得ている。各実施例において、更に好ましくは、次の条件式のうち１つ以上を満足することが好ましい。望遠端における全系の焦点距離をｆｔ、第２レンズ群Ｌ２の焦点距離をｆ２、第３レンズ群Ｌ３の焦点距離をｆ３、最も像側に位置するレンズ群に含まれる正レンズの材料のアッベ数をνｄｒｐとする。最も像側に位置するレンズ群に含まれる負レンズの材料のアッベ数をνｄｒｎとする。
【００４３】
広角端から望遠端へのズーミングにおける第１レンズ群の移動量をｍ１とする。広角端から望遠端へのズーミングにおける第３レンズ群Ｌ３の移動量をｍ３とする。最も像側に位置するレンズ群の焦点距離をｆｒとする。最も像側に位置するレンズ群に含まれる負レンズの材料の屈折率をＮｄｒｎとする。このとき次の条件式のうち１つ以上を満足するのが良い。
【００４４】
１．５＜ｆｔ／ｆ１＜５．０        ・・・（３）
−３０．０＜ｆｔ／ｆ２＜−５．０  ・・・（４）
５．０＜ｆｔ／ｆ３＜２０．０      ・・・（５）
１０．０＜νｄｒ＜１００．０      ・・・（６）
４０．０＜νｄｒｐ＜１００．０    ・・・（７）
１０．０＜νｄｒｎ＜４０．０      ・・・（８）
−３０．０＜ｍ１／ｆｗ＜−３．０  ・・・（９）
−１０．０＜ｍ３／ｆｗ＜−０．５  ・・・（１０）
２．０＜ｆｔ／｜ｆｒ｜＜１５．０  ・・・（１１）
１．６＜Ｎｄｒｎ＜２．３          ・・・（１２）
【００４５】
次に前述の各条件式の技術的意味について説明する。条件式（３）は望遠端における全系の焦点距離に対する第１レンズ群Ｌ１の焦点距離を規定している。条件式（３）の上限値を超えて、第１レンズ群Ｌ１の焦点距離が短くなりすぎると、球面収差、コマ収差の補正が困難となる。あるいは、望遠端における全系の焦点距離が長くなりすぎて、軸上色収差や球面収差、コマ収差等の補正が困難となる。
【００４６】
条件式（３）の下限値を超えて、第１レンズ群Ｌ１の焦点距離が長くなりすぎると、高ズーム比化を図るために第１レンズ群Ｌ１のズーミングに際しての移動量を大きくする必要があり、結果としてレンズ全長が長くなってしまい好ましくない。あるいは、望遠端における全系の焦点距離が短くなり、高ズーム比化を図ることが難しくなり、好ましくない。
【００４７】
条件式（４）は望遠端における全系の焦点距離に対する第２レンズ群Ｌ２の焦点距離を規定している。条件式（４）の下限値を超えて、第２レンズ群Ｌ２の負の焦点距離が短くなると（負の焦点距離の絶対値が小さくなると）、ズーミングに際して像面湾曲の変動が大きくなり、好ましくない。条件式（４）の上限値を超えて、第２レンズ群Ｌ２の負の焦点距離が長くなると（負の焦点距離の絶対値が大きくなると）、所望のズーム比を得るために第１レンズ群Ｌ１のズーミングに際しての移動量を大きくする必要がある。このため、レンズ全長が長くなってしまい好ましくない。
【００４８】
条件式（５）は望遠端における全系の焦点距離に対する第３レンズ群Ｌ３の焦点距離を規定している。条件式（５）の上限を超えて、第３レンズ群Ｌ３の焦点距離が短くなると、像面湾曲や球面収差が増大してくるので、好ましくない。条件式（５）の下限を超えて、第３レンズ群Ｌ３の焦点距離が長くなると、所望のズーム比を得るために第３レンズ群Ｌ３のズーミングに際しての移動量を大きくする必要があり、レンズ全長が長くなってしまい好ましくない。
【００４９】
条件式（６）は最も像側に位置するレンズ群を構成する各レンズの材料のアッベ数を規定している。条件式（６）の下限値を超えてアッベ数が小さくなると、広角端において倍率色収差の二次スペクトルの補正は有利となるが、望遠端において軸上色収差が補正不足となり、好ましくない。条件式（６）の上限値を超えてアッベ数が大きくなると、広角端において倍率色収差の二次スペクトルが増加するため、好ましくない。
【００５０】
条件式（７）はズーム比を高めながら望遠端において色収差の補正を良好に行うための最も像側に位置するレンズ群に含まれる正レンズの材料を規定している。条件式（７）の下限値を超えて正レンズの材料のアッベ数が小さくなると、色収差を補正するために最も像側に位置するレンズ群に含まれる負レンズの材料とのアッベ数差を少なくする必要がある。その結果、レンズ面の曲率が小さくなり、コバ厚の確保のためにレンズ厚みが増し、全系が大型化するため好ましくない。条件式（７）の上限値を超えて正レンズの材料のアッベ数が大きくなると、望遠端において倍率色収差が補正不足となり、好ましくない。
【００５１】
条件式（８）はズーム比を高めながら広角端と望遠端において色収差を良好に補正するために、最も像側に位置するレンズ群に含まれる負レンズの材料を規定している。条件式（８）の下限値を超えて負レンズの材料のアッベ数が小さくなると、望遠端において軸上色収差が補正不足となり、また広角端において倍率色収差が補正過剰となるため好ましくない。条件式（８）の上限値を超えて負レンズの材料のアッベ数が大きくなると、最も像側に位置するレンズ群に含まれる正レンズの材料とのアッベ数差を少なくする必要がある。
【００５２】
その結果、レンズ面の曲率が小さくなり、コバ厚確保のためにレンズ厚みが増し、全系が大型化するため好ましくない。
【００５３】
条件式（９）は広角端における全系の焦点距離とズーミングに際しての第１レンズ群Ｌ１の移動量を規定している。ここで広角端から望遠端へのズーミングに際してのレンズ群の移動量は広角端における光軸上の位置と望遠端における光軸上の位置の差分量で定義されるものである。移動量の符号は広角端に比べて望遠端においてレンズ群が物体側に位置するときを負、像側に位置するときを正とする。
【００５４】
条件式（９）の上限値を超えて、広角端における全系の焦点距離が長くなると、高いズーム比を得ることが困難となるため、好ましくない。あるいは、ズーミングに際しての第１レンズ群Ｌ１の移動量が小さくなり、第１レンズ群Ｌ１の屈折力が強くなりすぎ、球面収差やコマ収差が増大するため好ましくない。
【００５５】
条件式（９）の下限値を超えて、広角端における全系の焦点距離が短くなると、第１レンズ群Ｌ１のレンズ径が大きくなり、全系が大型化してくるため好ましくない。あるいは、ズーミングに際しての第１レンズ群Ｌ１の移動量が大きくなると、望遠端におけるレンズ全長が長くなり、全系が大型化してくるため好ましくない。
【００５６】
条件式（１０）は広角端における全系の焦点距離とズーミングに際しての第３レンズ群Ｌ３の移動量を規定している。条件式（１０）の上限値を超えて、広角端における全系の焦点距離が長くなると、高いズーム比を得ることが困難となるため、好ましくない。あるいは、ズーミングに際して第３レンズ群Ｌ３の移動量が小さくなり、高いズーム比を得るために第３レンズ群Ｌ３の正の屈折力を強くする必要があり、球面収差やコマ収差、そして望遠端において軸上色収差が増大してくるので好ましくない。
【００５７】
条件式（１０）の下限を超えて、広角端における全系の焦点距離が短くなると、第１レンズ群Ｌ１のレンズ径が大きくなり、全系が大型化してくるため好ましくない。あるいは、ズーミングに際しての第３レンズ群Ｌ３の移動量が大きくなると、望遠端におけるレンズ全長が長くなり、全系が大型化してくるため好ましくない。
【００５８】
条件式（１１）は望遠端における全系の焦点距離に対する最も像側に位置するレンズ群の焦点距離を規定している。条件式（１１）の上限値を超えて、最も像側に位置するレンズ群の焦点距離が短くなると、最も像側に位置するレンズ群を構成する各レンズの屈折力が強まるためにレンズのコバ厚を確保するためにレンズ厚が増し、全系が大型化するために好ましくない。
【００５９】
あるいは、望遠端における全系の焦点距離が長くなり、望遠端において軸上色収差を良好に補正することが困難となる。条件式（１１）の下限値を超えて、最も像側に位置するレンズ群の焦点距離が長くなると、望遠端において軸上色収差の補正が困難となり、好ましくない。あるいは、望遠端における全系の焦点距離が短くなり、高いズーム比を得ることが困難となり好ましくない。
【００６０】
条件式（１２）は最も像側に位置するレンズ群に含まれる負レンズの材料の屈折率を規定している。条件式（１２）の上限値を超えて負レンズの材料の屈折率が高くなると、部分分散比θｇＦｒが大きくなりすぎ、広角端において倍率色収差の２次スペクトルが補正過剰となる傾向があり、好ましくない。
【００６１】
条件式（１２）の下限値を超えて負レンズの材料の屈折率が低くなると、部分分散比θｇＦｒが小さくなりすぎ、広角端において倍率色収差の２次スペクトルが補正不足になる傾向があり好ましくない。また、負レンズの材料の屈折率が低くなると、負レンズの材料のアッベ数を、より大きいものを選ぶ必要があり、望遠端において軸上色収差の補正が困難になり、好ましくない。なお、各実施例において、好ましくは、条件式（３）乃至条件式（１２）の数値範囲を次の如く設定すると良い。
【００６２】
１．５２＜ｆｔ／ｆ１＜５．００      ・・・（３ａ）
−３０．０＜ｆｔ／ｆ２＜−１０．０  ・・・（４ａ）
７．０＜ｆｔ／ｆ３＜２０．０        ・・・（５ａ）
１０．０＜νｄｒ＜８５．０          ・・・（６ａ）
４５．０＜νｄｒｐ＜８５．０        ・・・（７ａ）
１０．０＜νｄｒｎ＜３０．０        ・・・（８ａ）
−２５．０＜ｍ１／ｆｗ＜−５．０    ・・・（９ａ）
−１０．０＜ｍ３／ｆｗ＜−０．９    ・・・（１０ａ）
４．０＜ｆｔ／｜ｆｒ｜＜１５．０    ・・・（１１ａ）
１．６１＜Ｎｄｒｎ＜２．２０        ・・・（１２ａ）
【００６３】
また、更に好ましくは、各実施例において、条件式（３ａ）乃至条件式（１２ａ）の数値範囲を次の如く設定すると、先に述べた各条件式が意味する効果を最大限に得られる。
【００６４】
１．５４＜ｆｔ／ｆ１＜３．００      ・・・（３ｂ）
−２５．０＜ｆｔ／ｆ２＜−１２．０  ・・・（４ｂ）
８．０＜ｆｔ／ｆ３＜１５．０        ・・・（５ｂ）
１５．０＜νｄｒ＜６０．０          ・・・（６ｂ）
５０．０＜νｄｒｐ＜６０．０        ・・・（７ｂ）
１５．０＜νｄｒｎ＜２５．０        ・・・（８ｂ）
−１５．０＜ｍ１／ｆｗ＜−７．０    ・・・（９ｂ）
−６．０＜ｍ３／ｆｗ＜−０．９      ・・・（１０ｂ）
４．２＜ｆｔ／｜ｆｒ｜＜１０．０    ・・・（１１ｂ）
１．６２＜Ｎｄｒｎ＜２．２０        ・・・（１２ｂ）
【００６５】
各実施例のズームレンズにおいては最も像側に位置するレンズ群には軸外光束が光軸から離れたところを通る。このため、レンズ枚数が増えると有効径が増大し、またレンズ群の厚みが増す。そのためレンズ枚数は２枚構成とするのが良い。また最も像側に位置するレンズ群は色収差の補正を良好に行うために空気間隔を隔てて配置された１枚の負レンズと１枚の正レンズによる構成とするのが良い。また、最も像側に位置するレンズ群は互いに独立したレンズより構成するのが良い。具体的には１枚の正レンズと、該１枚の正レンズに対して空気間隔を隔てて配置された１枚の負レンズから異常分散材料よりなるレンズに非球面を付加することで、接合レンズを使用しなくとも、球面収差、コマ収差、色収差の更なる補正が容易となる。
【００６６】
また、全系の小型化を図りつつ広画角で高ズーム比化を達成するためには、第１レンズ群Ｌ１のレンズ枚数が少ないほど良い。これによれば第１レンズ群Ｌ１を通る軸外光束の高さが低くでき、第１レンズ群Ｌ１の有効径を小型化できる。そのため、第１レンズ群Ｌ１のレンズ枚数は３枚以下の構成とするのが良い。第１レンズ群Ｌ１は物体側から像側へ順に負レンズ、正レンズ、正レンズの３枚で構成すると更に好ましい。
【００６７】
また、第２レンズ群Ｌ２は広画角化を実現するために、物体側より像側へ順に、２つの負レンズを有し、最終レンズが正レンズであることが好ましい。最終レンズを正の屈折力のレンズとすることで、光束を収斂させ、それより像側のレンズ群の有効径を小型化することができる。また、ズーミングに際し、第２レンズ群Ｌ２を負の屈折力のレンズ群とし、負レンズ群先行の構成にすることで広画角化が容易になる。また、第３レンズ群Ｌ３は物体側より像側へ順に、正レンズ、負レンズ、正レンズを有することが好ましい。
【００６８】
このように第３レンズ群Ｌ３をトリプレット構成とすると、球面収差やコマ収差を全ズーム域で良好に補正することが容易となる。また、第１レンズ群Ｌ１中、第３レンズ群Ｌ３中、第３レンズ群Ｌ３から像側までに配置しているレンズ、またはスペックに応じて第３レンズ群Ｌ３中に非球面を導入するのが良い。第３レンズ群Ｌ３以降のレンズと第２レンズ群Ｌ２の屈折力を適切に設定することによって軸外諸収差、特に非点収差・歪曲収差および広画角、高ズーム比化した際の球面収差、コマ収差の補正が容易になる。
【００６９】
各実施例では以上の様に各要素を構成することで、広画角、高ズーム比で高い光学材料を有する小型のズームレンズを得ている。
【００７０】
以下、実施例１乃至５に対応する数値実施例１乃至５を示す。各数値実施例において、ｉは物体側から数えた面の順序を示し、ｒｉはレンズ面の曲率半径、ｄｉは第ｉ面と第ｉ＋１面との間のレンズ肉厚および空気間隔、ｎｉ、νｄｉはそれぞれｄ線に対する第ｉ番目の光学部材の材料の屈折率、アッベ数を示す。また、ｋ、Ａ４，Ａ６，Ａ８，Ａ１０，Ａ１２，Ａ１４は非球面係数である。
【００７１】
非球面形状は光軸からの高さｈの位置での光軸方向の変位を面頂点を基準にしてｘとするとき
ｘ＝（ｈ2／Ｒ）／［１＋｛１−（１＋ｋ）（ｈ／Ｒ）2｝1/2］＋Ａ４ｈ4＋Ａ６ｈ6＋Ａ８ｈ8＋Ａ１０ｈ10＋Ａ１２ｈ12＋Ａ１４ｈ14
で表される。但しＲは近軸曲率半径である。数値実施例において最も像側の２つの面は、フィルター、フェースプレート等の光学ブロックの面である。
【００７２】
各実施例において、バックフォーカス（ＢＦ）はレンズ最終面から近軸像面までの距離を空気換算長により表したものである。レンズ全長は最も物体側の面から最終レンズ面までの距離にバックフォーカスを加えたものである。また、各数値実施例における上述した条件式との対応を表１に示す。表１において条件式（６）は条件式（７），（８）を参照のこと。
【００７３】
［数値実施例１］
単位 mm
面データ
面番号       r        d      nd         νd      θgF
1        102.913    1.20   1.83400    37.2           
2         44.387    4.55   1.49700    81.5           
3       -154.419    0.05                             
4         36.675    3.05   1.48749    70.2           
5        114.342  (可変)                             
6        507.557    0.60   1.83481    42.7           
7          7.749    4.40                             
8        -20.281    0.50   1.80400    46.6           
9         45.045    0.05                             
10         19.048    1.93   1.94595    18.0           
11       1453.932  (可変)                                                          
12(絞り)    ∞     (可変)                                                        
13*         8.625    2.75   1.49710    81.6           
14*       -37.447    2.59                             
15         26.629    0.40   1.80610    33.3           
16          8.840    0.89                             
17*        16.420    1.95   1.49710    81.6           
18*       -20.553    1.60                             
19          ∞     (可変) （フレアーカット絞り）
20*       -31.135    0.70   1.53160    55.8           
21*        27.006  (可変)                             
22         16.864    2.90   1.53160    55.8     0.5672 
23        -20.985    0.30                             
24        -25.415    0.70   1.80809    22.8     0.6307 
25        -46.565  (可変)                             
26          ∞       1.00   1.51633    64.1           
27          ∞       0.54                              
像面        ∞   
【００７４】
非球面データ
第13面
K =-2.78153e-001  A 4=-8.03728e-005  A 6=-2.76810e-006 
A 8=-3.05048e-008  
第14面
K = 0.00000e+000  A 4= 1.08506e-004  A 6=-4.47173e-006  
第17面
K = 0.00000e+000  A 4=-1.61675e-005  A 6=-2.74725e-006  
第18面
K = 0.00000e+000  A 4=-1.96008e-005  A 6=-8.92431e-007  
第20面
K =-1.82035e+000  A 4= 2.28910e-005  
第21面
K = 4.88465e+000  A 4= 3.04587e-005  
各種データ
ズーム比     43.24 
広角     中間     望遠
焦点距離       4.38    12.20   189.50  
Fナンバー      3.51     4.57     6.78  
半画角（度）   35.94    17.63     1.17    
レンズ全長    83.55    85.32   128.46  
BF             7.64    14.51     5.81  
d 5            0.80    15.56    59.69  
d11           30.36     9.95     1.40  
d12            7.85     6.10     0.50  
d19            2.83     4.25    11.12  
d21            2.95     3.85    18.84  
d25            6.45    13.31     4.61  
ズームレンズ群データ
群  始面    焦点距離  
1    1      77.76  
2    6      -8.57  
3   13      15.93  
4   20     -27.09  
5   22      23.91  
【００７５】
［数値実施例２］
単位 mm
面データ
面番号       r        d      nd         νd      θgF
1        102.910    1.20   1.83400    37.2           
2         44.379    4.52   1.49700    81.5           
3       -154.372    0.05                             
4         36.679    3.05   1.48749    70.2           
5        114.342  (可変)                             
6        511.353    0.60   1.83481    42.7           
7          7.746    4.40                             
8        -20.292    0.50   1.80400    46.6           
9         45.085    0.05                             
10         19.048    1.93   1.94595    18.0           
11       1484.667  (可変) 
12(絞り)    ∞     (可変)                             
13*         8.626    2.75   1.49710    81.6           
14*       -37.442    2.59                             
15         26.631    0.40   1.80610    33.3           
16          8.839    0.91                             
17*        16.419    1.88   1.49710    81.6           
18*       -20.554    1.60                             
19          ∞     (可変) （フレアーカット絞り）
20*       -31.140    0.70   1.53160    55.8           
21*        26.925  (可変)                             
22         16.993    2.90   1.53160    55.8    0.5672 
23        -20.141    0.30                             
24        -24.266    0.70   1.63540    23.9    0.6353 
25        -59.034  (可変)                             
26          ∞       1.00   1.51633    64.1           
27          ∞       0.53                             
像面        ∞   
【００７６】
非球面データ
第13面
K =-2.78153e-001  A 4=-8.15659e-005  A 6=-3.38954e-006 
A 8=-3.59757e-008  
第14面
K = 0.00000e+000  A 4= 1.05237e-004  A 6=-5.31712e-006  
第17面
K = 0.00000e+000  A 4=-2.91488e-005  A 6=-1.81455e-006  
第18面
K = 0.00000e+000  A 4=-3.11360e-005  A 6= 2.09343e-007  
第20面
K =-2.74527e-001  A 4= 2.28656e-005  
第21面
K = 1.00918e+000  A 4= 5.25368e-005  
各種データ
ズーム比     43.24 
広角     中間     望遠
焦点距離       4.38    12.22   189.50  
Fナンバー      3.51     4.52     6.80  
半画角（度）   35.95    17.59     1.17  
レンズ全長    83.53    85.30   128.43  
BF             7.58    14.42     5.74  
d 5            0.80    15.56    59.68  
d11           30.40     9.59     1.41  
d12            7.86     6.47     0.49  
d19            2.85     4.31    11.18  
d21            3.00     3.92    18.91  
d25            6.39    13.23     4.55  
ズームレンズ群データ
群  始面    焦点距離  
1    1      77.77  
2    6      -8.57  
3   13      15.93  
4   20     -27.05  
5   22      23.97  
【００７７】
［数値実施例３］
単位 mm
面データ
面番号       r        d      nd         νd     θgF
1        102.915    1.20   1.83400    37.2           
2         44.373    4.79   1.49700    81.5           
3       -154.375    0.05                             
4         36.680    3.05   1.48749    70.2           
5        114.337  (可変)                             
6        504.493    0.60   1.83481    42.7           
7          7.748    4.40                             
8        -20.295    0.50   1.80400    46.6           
9         45.122    0.05                             
10         19.033    1.93   1.94595    18.0           
11       1544.942  (可変)         
12(絞り)    ∞     (可変)          
13*         8.624    2.75   1.49710    81.6           
14*       -37.409    2.61                             
15         26.608    0.40   1.80610    33.3           
16          8.842    0.98                             
17*        16.417    1.56   1.49710    81.6           
18*       -20.552    1.60                             
19          ∞     (可変) （フレアーカット絞り）
20*       -30.283    0.70   1.53160    55.8           
21*        26.328  (可変)                             
22         17.460    2.90   1.53160    55.8    0.5672           
23        -21.988    0.30                             
24        -25.624    0.70   2.10205    16.8    0.6721           
25        -33.598  (可変)                             
26          ∞       1.00   1.51633    64.1           
27          ∞       0.54                             
像面        ∞   
【００７８】
非球面データ
第13面
K =-2.78153e-001  A 4=-7.82789e-005  A 6=-3.21157e-006 
A 8=-4.64299e-008  
第14面
K = 0.00000e+000  A 4= 1.06827e-004  A 6=-5.30889e-006  
第17面
K = 0.00000e+000  A 4=-3.62509e-005  A 6=-2.23194e-006  
第18面
K = 0.00000e+000  A 4=-2.85881e-005  A 6=-4.55892e-007  
第20面
K = 6.52233e+000  A 4= 1.17143e-005  
第21面
K =-2.12791e+000  A 4= 2.80929e-005  
各種データ
ズーム比     43.37 
広角     中間     望遠
焦点距離       4.37    12.05   189.50  
Fナンバー      3.50     4.46     6.80  
半画角（度）   36.02    17.82     1.17  
レンズ全長    83.76    85.53   128.66  
BF             7.79    14.47     5.86  
d 5            0.80    15.56    59.69  
d11           30.38     9.66     1.40  
d12            7.83     6.36     0.50  
d19            2.87     4.32    11.17  
d21            3.02     4.09    18.98  
d25            6.59    13.27     4.66  
ズームレンズ群データ
群  始面    焦点距離  
1    1      77.79  
2    6      -8.59  
3   13      15.88  
4   20     -26.38  
5   22      22.92  
【００７９】
［数値実施例４］
単位 mm
面データ
面番号       r        d      nd         νd      θgF
1         41.603    0.82   2.00100    29.1           
2         23.724    4.67   1.49700    81.5           
3        106.832    0.05                             
4         25.602    3.92   1.65858    43.2           
5         99.892  (可変)                             
6*       157.224    0.40   1.85135    40.1           
7*         5.803    2.74                             
8        -17.703    0.30   1.83481    42.7           
9         23.920    0.17                             
10         12.174    1.40   1.95906    17.5           
11        101.566  (可変)                             
12(絞り)    ∞      -0.20                             
13*         6.600    1.60   1.69350    53.2           
14*       -14.514    0.05                             
15          5.075    1.40   1.51823    58.9           
16         29.801    0.30   2.00100    29.1           
17          4.146    1.00                             
18          ∞     (可変) （フレアーカット絞り） 
19         10.887    2.17   1.53160    55.8    0.5672 
20        -20.832    0.05                             
21        -23.885    0.35   1.92286    18.9    0.6495 
22        -69.304  (可変)                             
23          ∞       1.00   1.51633    64.1           
24          ∞       0.50                            
像面        ∞   
【００８０】
非球面データ
第6面
K =-1.53235e+004  A 4=-1.06261e-004  A 6= 2.70933e-005 
A 8=-4.21559e-007  A10= 2.04092e-010  
第7面
K = 9.33274e-002  A 4=-5.23477e-004  A 6= 1.11719e-004 
A 8=-6.50643e-006  A10= 3.57126e-007  
第13面
K = 1.23797e+000  A 4=-1.31907e-003  A 6= 1.66317e-005 
A 8=-7.61898e-006  A10=-5.41705e-007  
第14面
K = 1.36548e+001  A 4= 4.52502e-004  A 6= 8.82187e-005 
A 8=-1.29707e-005  
各種データ
ズーム比     20.13 
広角     中間     望遠
焦点距離       4.37    10.56    88.00  
Fナンバー      3.60     4.69     7.10  
半画角（度）   37.00    20.16     2.52  
レンズ全長    47.85    52.83    87.24  
BF             3.40     8.52     3.85  
d 5            0.16     8.62    38.90  
d11           16.76     7.13     1.95  
d18            6.34     7.37    21.35  
d22            2.23     7.36     2.69    
ズームレンズ群データ
群  始面    焦点距離  
1    1      56.83  
2    6      -6.43  
3   12      10.32  
4   19      20.40  
【００８１】
［数値実施例５］
単位 mm
面データ
面番号       r        d      nd         νd     θgF
1         89.501    1.80   1.85755    43.7           
2         47.351    7.80   1.49700    81.5           
3        379.305    0.05                             
4         49.759    6.27   1.49700    81.5           
5        221.892  (可変)                             
6         36.832    0.80   1.83767    45.6           
7         11.564    9.66                             
8*       -23.471    0.50   1.58313    59.4           
9         33.071    0.67                             
10         28.780    1.95   1.94595    18.0           
11         92.290  (可変)                             
12          ∞      -0.10（フレアーカット絞り）
13*        20.888    1.87   1.85135    40.1           
14*      -239.084    0.10                             
15         25.601    2.00   1.69350    53.2           
16        -38.742    0.50   2.00100    29.1           
17         18.207    0.57                             
18         31.353    2.10   1.57117    47.5           
19        -27.456    0.25                             
20(絞り)    ∞       (可変)                             
21*       -26.500    0.50   1.85135    40.1           
22         11.747    2.19   1.80518    25.5           
23        100.935  (可変)                             
24          ∞       0.50（フレアーカット絞り）
25        131.031    1.56   1.59282    68.6
26        -32.091    0.10                             
27         38.326    0.60   2.00713    29.3           
28         13.639    2.87   1.51742    52.4           
29        -69.290    0.10                             
30         15.238    3.60   1.48749    70.2           
31        -53.716  (可変)                             
32       -260.189    1.29   1.53160    55.8    0.5672
33         14.161    1.32
34         15.625    2.23   1.63540    23.9    0.6353
35         17.649  (可変)                             
36          ∞       1.00   1.51633    64.1           
37          ∞       0.50                            
像面        ∞   
【００８２】
非球面データ
第8面
K =-1.05182e+000  A 4=-2.91127e-007  A 6= 3.69769e-007 
A 8=-1.72141e-008  A10= 3.40190e-010  A12=-3.21161e-012 
A14= 1.15396e-014  
第13面
K =-1.47662e+000  A 4= 1.01518e-005  A 6=-5.66702e-008 
A 8= 1.96570e-009  A10=-1.43592e-011  
第14面
K = 1.54985e+002  A 4= 5.72996e-006  
第21面
K = 1.38109e+000  A 4= 1.57705e-005  A 6= 5.69015e-007 
A 8=-1.80145e-008  A10= 2.45361e-010  
各種データ
ズーム比     23.67 
広角     中間     望遠
焦点距離       9.00    24.12   213.00  
Fナンバー      2.88     4.43     5.73  
半画角（度）   36.69    18.12     2.12  
レンズ全長   116.09   131.00   181.42     
BF             9.88    24.00    31.76     
d 5            0.85    19.16    81.21  
d11           32.42    18.34     0.70  
d20            2.82     8.85    11.37  
d23           10.95     6.07     0.30  
d31            5.49     0.91     2.41  
d35            8.72    22.84    30.60  
ズームレンズ群データ
群  始面    焦点距離  
1    1     118.40  
2    6     -13.02  
3   12      20.74  
4   21     -22.48  
5   24      16.98  
6   32     -28.92  
【００８３】
【表１】
0006562637.tif 000002
【００８４】
次に各実施例に示したようなズームレンズを撮影光学系として用いたデジタルスチルカメラの実施形態を図１１を用いて説明する。
【００８５】
図１１において、２０はカメラ本体、２１は実施例１乃至５で説明したいずれかのズームレンズによって構成された撮像光学系である。２２はカメラ本体に内蔵され、撮像光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【００８６】
このように本発明のズームレンズをデジタルスチルカメラ等の撮像装置に適用することにより、広画角、高ズーム比であり、高い光学性能を有する小型なズームレンズを有した撮像装置を得ることができる。
【符号の説明】
【００８７】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
ＬＲ  後群
【図１】
0006562637.tif 000003
【図２】
0006562637.tif 000004
【図３】
0006562637.tif 000005
【図４】
0006562637.tif 000006
【図５】
0006562637.tif 000007
【図６】
0006562637.tif 000008
【図７】
0006562637.tif 000009
【図８】
0006562637.tif 000010
【図９】
0006562637.tif 000011
【図１０】
0006562637.tif 000012
【図１１】
0006562637.tif 000013